(57)【要約】【課題】ガイドレールのレール面から突出するスプロケットの歯の突出量が最小になるようにスプロケットの位相を制御することにより、シンプルな構成で簡単、確実にフィルムを装填できるカメラを提供する。【解決手段】裏蓋の開閉に連動して、ロック部材５２が開放位置とロック位置との間を揺動する。ロック部材５２が開放位置からロック位置まで揺動すると、その揺動過程でロック部材５２にスプロケット３６の歯３６Ａ〜３６Ｅが係合して、スプロケット３６を回転させ、ガイドレール２４のレール面からの歯の突出量が最小となる位置で停止させる。【選択図】      図５
2005274958.tif 000002
【特許請求の範囲】
【請求項１】
ガイドレールのレール面から突出したスプロケットの歯にフィルムのパーフォレーションを噛み合せ、該スプロケットの回転によりフィルムを給送するカメラにおいて、
ロック位置とロック解除位置との間を移動自在に設けられ、前記ロック位置に移動すると、前記スプロケットに係合して、前記レール面からの歯の突出量が最小になる回動位置で前記スプロケットをロックさせるロック部材を備えたことを特徴とするカメラ。
【請求項２】
前記ロック部材は、付勢手段によって前記ロック位置に向けて付勢され、カメラ本体に開閉自在に設けられたフィルム装填蓋を閉じると、該フィルム装填蓋に形成された押圧部材に押圧されて、前記ロック位置に移動することを特徴とする請求項１に記載のカメラ。
【発明の詳細な説明】
【技術分野】
【０００１】
本発明はカメラに係り、特にフィルムパトローネをパトローネ軸に沿ってパトローネ室に落とし込むようにして装填するドロップ・イン・ローディング（ＤＩＬ）方式のカメラに関する。
【背景技術】
【０００２】
１３５タイプのフィルムパトローネを使用するカメラのフィルム装填方式としてＤＩＬ方式が知られている。このＤＩＬ方式には、フィルムパトローネのフィルム送出口から引き出されているフィルムリーダ部に切欠きが形成されている方（パトローネ軸が突出していない方）からフィルムパトローネをパトローネ室に落とし込む方式（以下、この方式を「順装填ＤＩＬ方式」と呼ぶ）と、フィルムリーダ部に切欠きが形成されていない方（パトローネ軸が突出している方）からフィルムパトローネをパトローネ室に落とし込む方式（以下、この方式を「逆装填ＤＩＬ方式」と呼ぶ）とがある。
【０００３】
ＤＩＬ方式で装填されたフィルムパトローネは、スプロケットに駆動されてフィルムリーダ部がフィルム巻取り室に給送される。スプロケットは、歯の部分がガイドレールのレール面から突出して設けられており、フィルムパトローネは、パトローネ室に装填されると、フィルム送出口から引き出されているフィルムリーダ部のパーフォレーションが、ガイドレールのレール面から突出したスプロケットの歯に噛み合わされる。
【０００４】
ところで、逆装填ＤＩＬ方式の場合、フィルムリーダ部に切欠きが形成されていない方からフィルムパトローネをパトローネ室に装填するため、装填時にフィルムの縁がスプロケットの歯の側面に当り、フィルムがスプロケットを乗り越えないまま装填されてしまう不具合が生じる問題がある。
【０００５】
従来は、この問題を回避するために、特許文献１では、スプロケットをレール面から出没自在に設け、フィルム装填時にフィルムが、スプロケットの歯に当接しないようにしている。
【特許文献１】特開平８−１９４２５７号公報
【発明の開示】
【発明が解決しようとする課題】
【０００６】
しかしながら、スプロケットは回転駆動されるものであるため、このスプロケットを移動可能とすると、駆動部を含めたスプロケット全体の構成が複雑かつ大型化するという欠点がある。
【０００７】
本発明は、このような事情に鑑みてなされたもので、シンプルな構成で簡単、確実にフィルムを装填できるカメラを提供することを目的とする。
【課題を解決するための手段】
【０００８】
請求項１に係る発明は、前記目的を達成するために、ガイドレールのレール面から突出したスプロケットの歯にフィルムのパーフォレーションを噛み合せ、該スプロケットの回転によりフィルムを給送するカメラにおいて、ロック位置とロック解除位置との間を移動自在に設けられ、前記ロック位置に移動すると、前記スプロケットに係合して、前記レール面からの歯の突出量が最小になる回動位置で前記スプロケットをロックさせるロック部材を備えたことを特徴とするカメラを提供する。
【０００９】
本発明によれば、ロック部材をロック位置に移動させると、ロック部材がスプロケットに係合してスプロケットを回転させ、レール面から突出するスプロケットの歯の突出量が最小になる回転位置でスプロケットをロックする。この状態でフィルムパトローネを装填することにより、フィルムの端部がスプロケットの歯の側面に引っ掛かりにくくなり、スムーズに装填できるようになる。
【００１０】
また、請求項２に係る発明は、前記目的を達成するために、前記ロック部材は、付勢手段によって前記ロック位置に向けて付勢され、カメラ本体に開閉自在に設けられたフィルム装填蓋を閉じると、該フィルム装填蓋に形成された押圧部材に押圧されて、前記ロック位置に移動することを特徴とする請求項１に記載のカメラを提供する。
【００１１】
本発明によれば、フィルム装填蓋の開閉に連動して、ロック部材がロック位置とロック解除位置との間を移動する。すなわち、フィルム装填蓋を開けると、ロック部材がロック解除位置に移動し、フィルム装填蓋を閉じると、フィルム装填蓋に設けられた押圧部材にロック部材が押圧されて、ロック位置に移動する。
【発明の効果】
【００１２】
本発明に係るカメラによれば、シンプルな構成で簡単、確実にフィルムを装填することができる。
【発明を実施するための最良の形態】
【００１３】
以下、添付図面に従って本発明に係るカメラを実施するための最良の形態について詳説する。
【００１４】
図１は、本発明に係るカメラの一実施形態を示す背面斜視図である。このカメラ１０は、いわゆる逆装填ＤＩＬ方式のカメラであり、フィルムパトローネを装填する際、パトローネ軸が突出した方からフィルムパトローネをパトローネ室に落とし込むようにして装填する。使用するフィルムは１３５フィルムである。
【００１５】
１３５フィルムのフィルムパトローネ１は、パトローネ本体２とパトローネ軸３とで構成されている。
【００１６】
パトローネ本体２は、円筒状に形成されており、その外周にフィルム４を接線方向に繰り出すフィルム送出口２Ａを有している。
【００１７】
パトローネ軸３は、パトローネ本体２の中心に回動自在に支持されており、その一端がパトローネ本体２の一端から突出して設けられている。
【００１８】
フィルム４は、帯状に形成されており、その両縁部に一定ピッチでパーフォレーション５、５、…が形成されている。
【００１９】
未使用の状態において、フィルム４はパトローネ軸３に巻き付けられた状態でパトローネ本体２に収容されている。そして、その先端に形成されたフィルムリーダ４Ａの部分がフィルム送出口２Ａから所定量引き出されている。フィルムリーダ４Ａの部分には、切欠き４Ｂが形成されており、逆装填ＤＩＬ方式の場合、この切欠き４Ｂが形成されていない方からフィルムパトローネ１がパトローネ室に装填される。
【００２０】
カメラ１０の背面には、図１に示すように、裏蓋１２が開閉自在に設けられている。裏蓋１２は、外装カバー１４と共にカメラ本体１６の外装をなし、ヒンジ１８によってカメラ本体１６に開閉自在に設けられている。この裏蓋１２は、裏蓋本体１２Ａと底蓋部１２Ｂとからなり、裏蓋本体１２Ａによって、カメラ本体１６の背面が覆われ、底蓋部１２Ｂによって、カメラ本体１６の底面に形成されたパトローネ装填口が覆われる。
【００２１】
図２は、カメラ本体の背面斜視図である。同図に示すように、カメラ本体１６の背面には、フィルム４が走行するフィルム走行面２０が形成されている。フィルム走行面２０には、フィルム４の露光範囲を規制するアパーチャ２２が形成されている。また、フィルム走行面２０には、アパーチャ２２の上辺及び下辺に沿ってガイドレール２４、２４が設けられている。フィルム４は、このガイドレール２４、２４上を裏蓋本体１２Ａの内側に設けられた圧板２６に押さえ付けられながら走行する。
【００２２】
アパーチャ２２の右側にはフィルムパトローネ１を装填するパトローネ室２８が設けられており、左側にはフィルム４を巻き取るフィルム巻取り室３０が設けられている。
【００２３】
パトローネ室２８は、底面にパトローネ装填口３２を有しており、このパトローネ装填口３２からフィルムパトローネ１がパトローネ軸３に沿って挿入される。
【００２４】
一方、フィルム巻取り室３０には、フィルム４を巻き取るスプール３４が設けられている。スプール３４には、上端部外周に複数の引っ掛け爪３４Ａが周方向に一定ピッチで形成されており、この引っ掛け爪３４Ａにフィルム４のパーフォレーション５が係合して、フィルム４が巻き付けられる。
【００２５】
フィルムパトローネ１をパトローネ室２８に装填する場合は、パトローネ軸３が突出した方（フィルムリーダ４Ａの切欠き４Ｂが形成されていない方）からフィルムパトローネ１をパトローネ装填口３２に挿入し、パトローネ軸３に沿ってパトローネ室２８に落とし込むことにより、フィルムパトローネ１をパトローネ室２８に装填する。
【００２６】
フィルムパトローネ１をパトローネ室２８に装填すると、あらかじめフィルム送出口２Ａから引き出されているフィルムリーダ４Ａの部分が、アパーチャ２２の上にセットされ、そのフィルムリーダ４Ａの先端がフィルム巻取り室３０の上に位置する。
【００２７】
ここで、アパーチャ２２とフィルム巻取り室３０との間には、スプロケット３６が配設されており、アパーチャ２２上にセットされたフィルムリーダ４Ａは、このスプロケット３６の歯にパーフォレーション５が噛み合わされる。
【００２８】
このスプロケット３６は、上側のガイドレール２４の終端位置にガイドレール２４に沿って配設されており、そのガイドレール２４の終端位置にガイドレール２４に沿って形成された貫通穴３８から歯３６Ａ〜３６Ｅがガイドレール２４のレール面上に所定量突出するように設置されている。
【００２９】
図３は、スプロケット３６の構成を示す平面図である。同図に示すように、スプロケット３６は、一定ピッチで配設された５つの歯３６Ａ〜３６Ｅを備えており、カメラ本体１６に設けられた軸４０に回転自在に支持されている。
【００３０】
また、このスプロケット３６には、図示しないギアが一体成形されており、スプロケット３６は、このギアに図示しない回転駆動手段から回転力が伝達されて回転する。そして、このスプロケット３６が回転することにより、スプロケット３６に形成された歯３６Ａ〜３６Ｅが、カメラ本体１６に形成された貫通穴３８を通ってガイドレール２４のレール面上に突出し、ガイドレール２４上を走行するフィルム４のパーフォレーション５に係合して、フィルム４を給送する。
【００３１】
ところで、ガイドレール２４のレール面上にスプロケット３６の歯３６Ａ〜３６Ｅが突出して設けられていると、フィルムパトローネ１を装填する際、フィルムパトローネ１から引き出されているフィルムリーダ４Ａの縁が、レール面上に突出したスプロケット３６の歯３６Ａ〜３６Ｅの側面に当り、フィルム４が歯３６Ａ〜３６Ｅを乗り越えられず、装着不良を起こすおそれがある。
【００３２】
そこで、本実施の形態のカメラ１０では、裏蓋１２の開閉に連動してスプロケット３６の位相を制御し、裏蓋１２を開けると、スプロケット３６の歯３６Ａ〜３６Ｅの突出量が最小になるようにしている。
【００３３】
以下、この裏蓋１２に連動したスプロケット３６の位相制御装置５０の構成について説明する。
【００３４】
上記のように、本実施の形態のカメラ１０のスプロケット３６には、５つの歯３６Ａ〜３６Ｅが備えられている。この歯３６Ａ〜３６Ｅのレール面からの突出量が最小になる状態とは、図３に示すように、５つの歯３６Ａ〜３６Ｅのうち２つの歯３６Ａ、３６Ｂがガイドレール２４のレール面から突出し、かつ、その２つの歯３６Ａ、３６Ｂの突出量が同じになる時である。より詳しくは、スプロケット３６の回転中心Ｏを通り、ガイドレール２４のレール面と直交する直線Ｌに対して、一方の歯３６Ａがなす角αと、他方の歯３６Ｂがなす角βとが同じ（α＝β）になるときである。この状態をスプロケット３６の最小突出状態とする。
【００３５】
位相制御装置５０は、裏蓋１２が開けられると、スプロケット３６の位相を制御して、スプロケット３６を最小突出状態にする。この位相制御装置５０は、図３及び図４に示すように、スプロケット３６の歯３６Ａ〜３６Ｅに係合して、スプロケット３６を強制的に回転させ、スプロケット３６をロック状態で停止させるロック部材５２と、裏蓋１２の開閉に連動して、ロック部材５２を揺動させる揺動駆動部５４とで構成されている。
【００３６】
ロック部材５２は、図３に示すように、軸受部５２Ａとロック部５２Ｂとで構成されている。軸受部５２Ａは、ロック部５２Ｂの基端部に設けられており、カメラ本体１６に形成された軸５６に揺動自在に支持されている。ロック部５２Ｂは、スプロケット３６の歯３６Ａ〜３６Ｅとほぼ同じ厚さをもった扇形の板状に形成されており、スプロケット３６とほぼ同一面上に配置されている。このロック部５２Ｂの外周には、スプロケット３６の歯３６Ａ〜３６Ｅと係合するガイド面５２ｂが形成されている。
【００３７】
一方、揺動駆動部５４は、図４に示すように、ロック部材５２に固着された摺動コマ５８と、軸４０に揺動自在に支持された揺動レバー６０と、裏蓋１２に設けられた押圧部材６２と、軸５６に取り付けられたトーションバネ６４とで構成されている。
【００３８】
摺動コマ５８は、図４に示すように、楕円形状に形成されており、ロック部材５２に固着されている。
【００３９】
揺動レバー６０は、軸受部６０Ａ、カム部６０Ｂ、被押圧部６０Ｃで構成されている。軸受部６０Ａは、カム部６０Ｂの基端部に設けられており、軸４０に回転自在に支持されている。カム部６０Ｂは、一辺に所定形状のカム面６０ｂを有しており、このカム面６０ｂに摺動コマ５８が係合される。被押圧部６０Ｃは、先端部が円弧状に形成されたＬ字状に形成されており、カム部６０Ｂの先端に設けられている。この揺動レバー６０は、軸４０を中心に揺動することにより、被押圧部６０Ｃの先端が、カメラ本体１６に形成された穴６６から出没する。なお、この穴６６は、カメラ本体１６に形成された遮光溝６８の間に形成されている（図２参照）。
【００４０】
押圧部材６２は、先端部が傾斜した薄板状に形成されており、裏蓋本体１２Ａの内側から突出して設けられている。この押圧部材６２は、裏蓋１２を閉めると、穴６６に嵌入して、揺動レバー６０の被押圧部６０Ｃを押圧し、揺動レバー６０を時計回りに揺動させる。
【００４１】
トーションバネ６４は、ロック部材５２の軸受部５２Ａに巻き付けられており、その一端が摺動コマ５８に係止されるとともに、他端がカメラ本体１６に形成された支持片７０に係止されて、ロック部材５２を反時計回りの方向に付勢する。この結果、ロック部材５２に固着された摺動コマ５８が、揺動レバー６０のカム部６０Ｂのカム面６０ｂに当接し、揺動レバー６０を時計回りに付勢する。
【００４２】
以上のように構成されたスプロケット３６の位相制御装置５０の作用は、次のとおりである。
【００４３】
図３及び図４には、裏蓋１２が閉じられている時の位相制御装置５０の状態が示されている。同図に示すように、裏蓋１２が閉じられた状態においては、揺動レバー６０の被押圧部６０Ｃが押圧部材６２に押圧され、ロック部材５２のロック部５２Ｂは、スプロケット３６の歯３６Ａ〜３６Ｅに接触しない位置に退避する。この位置をロック部材５２のロック解除位置とする。
【００４４】
いま、裏蓋１２を開けると、裏蓋１２の内側に設けられた押圧部材６２が穴６６から抜け、押圧部材６２による揺動レバー６０の押圧が解除される。
【００４５】
揺動レバー６０は、摺動コマ５８を介してトーションバネ６４により時計回りの方向に付勢されているので、押圧部材６２による押圧が解除されると、時計回りに回転（揺動）する。この揺動レバー６０が回転する過程でロック部材５２も揺動レバー６０のカム部６０Ｂと摺動コマ５８との作用により回転を制御されながら反時計回りに回転する。
【００４６】
そして、このロック部材５２が、反時計回りに回転することにより、図５（ａ）に示すように、ある点でロック部５２Ｂのガイド面５２ｂにスプロケット３６の歯３６Ｃが当接し、その歯３６Ｃをガイド面５２ｂが押圧して、スプロケット３６を回転させる。
【００４７】
揺動レバー６０は、ある点まで回転すると、被押圧部６０Ｃが穴６６の縁に当接し、回転が止められる。そして、この揺動レバー６０の回転が止められると、ロック部５２Ｂも同時に回転が止められる。
【００４８】
ロック部材５２の回転が止められた位置をロック部材５２のロック位置とし、このロック位置にロック部材５２が位置すると、ロック部材５２は、図５（ｂ）に示すように、ロック部５２Ｂのガイド面５２ｂにスプロケット３６の２つの歯３６Ｃ、３６Ｄが接触し、スプロケット３６を回転不能にロックする。そして、このロック部材５２によってロックされたスプロケット３６は、図５（ｂ）に示すように、ガイドレール２４のレール面からの歯３６Ａ〜３６Ｅの突出量が最小となる回転位置でロックされる。
【００４９】
スプロケット３６は、裏蓋１２が開けられている間、常に最小突出状態でロックされるので、裏蓋１２が開けられている間は、常にスプロケット３６の歯３６Ａ〜３６Ｅの突出量が最小に保たれる。したがって、フィルムパトローネ１の装填時もフィルムリーダ４Ａの縁がスプロケット３６の歯３６Ａ〜３６Ｅに引っ掛かることなく、スムーズに装填できるようになる。
【００５０】
フィルムパトローネ１を装填後、裏蓋１２を閉じると、裏蓋１２に設けられた押圧部材６２により、揺動レバー６０の被押圧部６０Ｃが押圧され、揺動レバー６０が、トーションバネ６４の付勢力に抗して反時計回りに回転する。そして、この揺動レバー６０が、反時計回りに回転することにより、揺動レバー６０のカム部６０Ｂに摺動コマ５８が押されてロック部材５２が時計回りに回転する。時計回りに回転したロック部材５２は、ある点でスプロケット３６の歯３６Ａ〜３６Ｅとの接触が解除され、これにより、スプロケット３６が回転可能に支持される。
【００５１】
揺動レバー６０は、裏蓋１２が完全に閉じられると、回転が停止し、これにより、ロック部材５２の回転も停止する。そして、このロック部材５２の回転が停止することにより、ロック部材５２はロック解除位置に位置する。
【００５２】
このように、本実施の形態のカメラ１０によれば、裏蓋１２の開閉に連動してスプロケット３６の位相が制御され、裏蓋１２が開けられると、スプロケット３６の歯３６Ａ〜２６Ｅのガイドレール２４のレール面からの突出量が最小になる。これにより、フィルムパトローネ１を装填する場合であっても、フィルムパトローネ１から突出したフィルムリーダ４Ａの縁が、レール面上に突出したスプロケット３６の歯３６Ａ〜３６Ｅに引っ掛かることなく、スムーズに装填できるようになる。
【００５３】
なお、本実施の形態では、歯数が５つのスプロケットを用いているが、スプロケットの歯数は、これに限定されるものではなく、歯数が４つや６つのスプロケットを用いてもよい。この場合も同様に裏蓋の開閉に連動して、スプロケットの位相を制御し、裏蓋が開かれた際、ガイドレールのレール面上からの歯の突出量が最小になるように制御する。
【００５４】
また、本実施の形態では、逆装填ＤＩＬ方式のカメラに本発明を適用した場合を例に説明したが、本発明の適用は、これに限定されるものではなく、順装填ＤＩＬ方式のカメラにも同様に適用することができる。
【図面の簡単な説明】
【００５５】
【図１】本発明に係るカメラの一実施形態を示す背面斜視図
【図２】カメラ本体の背面斜視図
【図３】スプロケットと位相制御装置の要部の構成を示す平面図
【図４】スプロケットの位相制御装置の要部の構成を示す平面図
【図５】位相制御装置の作用の説明図
【符号の説明】
【００５６】
１…フィルムパトローネ、２…フィルムパトローネ本体、２Ａ…フィルム送出口、３…パトローネ軸、４…フィルム、４Ａ…フィルムリーダ、４Ｂ…切欠き、５…パーフォレーション、１０…カメラ、１２…裏蓋、１６…カメラ本体、２０…フィルム走行面、２２…アパーチャ、２４…ガイドレール、２８…パトローネ室、３０…フィルム巻取り室、３２…パトローネ装填口、３６…スプロケット、３６Ａ〜３６Ｅ…歯、３８…貫通穴、５０…位相制御装置、５２…ロック部材、５２Ａ…軸受部、５２Ｂ…ロック部、５２ｂ…ガイド面、５４…揺動駆動部、５８…摺動コマ、６０…揺動レバー、６０Ａ…軸受部、６０Ｂ…カム部、６０ｂ…カム面、６０Ｃ…被押圧部、６２…押圧部材、６４…トーションバネ
【図１】
2005274958.tif 000003
【図２】
2005274958.tif 000004
【図３】
2005274958.tif 000005
【図４】
2005274958.tif 000006
【図５】
2005274958.tif 000007